(57)【要約】【課題】自然な流水音に近い擬音を簡易な構成で発生させる。【解決手段】便座装置は、水を貯留する貯留容器と、貯留容器内の貯留水に向けて水を噴射する噴射部と、貯留容器内で発生した音を外部に放出するよう開口する音放出部と、を有する擬音発生ユニットを備え、擬音発生ユニットは、噴射部から貯留水への水の噴射により生じる気泡の振動を貯留容器の振動源として利用するように貯留容器と噴射部とが構成され、貯留容器の振動による振動音などを擬音として発生させる。【選択図】図２
2018204196.tif 000002
【特許請求の範囲】
【請求項１】
水を貯留する貯留容器と、前記貯留容器内の貯留水に向けて水を噴射する噴射部と、前記貯留容器内で発生した音を外部に放出するよう開口する音放出部と、を有する擬音発生ユニットを備え、
前記擬音発生ユニットは、前記噴射部から前記貯留水への水の噴射により生じる気泡の振動を前記貯留容器の振動源として利用するように前記貯留容器と前記噴射部とが構成される
便座装置。
【請求項２】
請求項１に記載の便座装置であって、
前記貯留容器は、前記底部が金属製である
便座装置。
【請求項３】
請求項１または２に記載の便座装置であって、
前記貯留容器は、便座装置本体内に、前記底部が浮いた状態で側壁部が防振部材を介して取り付けられる
便座装置。
【請求項４】
請求項１ないし３のいずれか１項に記載の便座装置であって、
使用者の局部に洗浄水を噴射する洗浄ユニットと、
水源からの給水を前記擬音発生ユニットか前記洗浄ユニットのいずれに供給するかを切り替える切替弁と、
前記切替弁を制御する制御装置と、
を備える便座装置。
【請求項５】
請求項１ないし４のいずれか１項に記載の便座装置であって、
前記音放出部は、開口に膜状の防水通音部材が設けられる
便座装置。
【請求項６】
請求項１ないし５のいずれか１項に記載の便座装置であって、
前記貯留容器は、所定水位を超えた貯留水を排水可能な排水部を有する
便座装置。
【請求項７】
請求項１ないし５のいずれか１項に記載の便座装置であって、
前記貯留容器内の貯留水を吸い上げて前記噴射部に供給するよう循環させる循環ポンプを備える
便座装置。
【発明の詳細な説明】
【技術分野】
【０００１】
本発明は、便座装置に関する。
【背景技術】
【０００２】
従来、この種の便座装置としては、使用者が排泄する際の排泄音などをマスキングするための擬音をスピーカから出力するものが提案されている。例えば、特許文献１の便座装置では、使用者の着座を検知したことに基づいて、予め記憶された流水音などの擬音を所定時間に亘ってスピーカから出力する。また、特許文献２の便座装置では、使用者による操作ボタンの操作に基づいて、所定時間に亘って流水音などの擬音をスピーカから出力する。その際に、擬音を発生させる残時間などを表示している。
【先行技術文献】
【特許文献】
【０００３】
【特許文献１】実開平２−１３９９７３号公報
【特許文献２】実公平５−４７８０８号公報
【発明の概要】
【発明が解決しようとする課題】
【０００４】
上述した便座装置では、流水音などの擬音を出力するスピーカの音質によっては、自然な流水音とかけ離れた人工的な音となって、使用者に違和感を与える場合がある。このため、スピーカの周波数特性や音源の記憶容量、音声出力回路の構成などを最適化することにより自然な流水音に近付けることも考えられるが、各種調整などに手間が掛かるだけでなく構成が増えてコストアップを招いてしまう。
【０００５】
本発明は、自然な流水音に近い擬音を簡易な構成で発生させることを主目的とする。
【課題を解決するための手段】
【０００６】
本発明の便座装置は、上述の主目的を達成するために以下の手段を採った。
【０００７】
本発明の便座装置は、水を貯留する貯留容器と、前記貯留容器内の貯留水に向けて水を噴射する噴射部と、前記貯留容器内で発生した音を外部に放出するよう開口する音放出部と、を有する擬音発生ユニットを備え、前記擬音発生ユニットは、前記噴射部から前記貯留水への水の噴射により生じる気泡の振動を前記貯留容器の振動源として利用するように前記貯留容器と前記噴射部とが構成されることを要旨とする。
【０００８】
本発明の便座装置は、噴射部から貯留水への水の噴射により生じる気泡の振動を貯留容器の振動源として利用するように構成された擬音発生ユニットを備える。このため、貯留容器の振動を利用した振動音などを擬音として発生させることができる。このように、実際の水を用いた擬音を発生させるため、自然な流水音に近い違和感の少ない擬音とすることができる。また、擬音発生ユニットは、貯留容器内の貯留水に水を噴射するという簡易な構成で擬音を発生させることができる。
【０００９】
本発明の便座装置において、前記貯留容器は、前記底部が金属製であるものとしてもよい。こうすれば、貯留容器の底部の硬い金属面を気泡で叩くことになるから、排泄音をマスキングするのに十分な音量の擬音を発生させることができる。
【００１０】
本発明の便座装置において、前記貯留容器は、便座装置本体内に、前記底部が浮いた状態で側壁部が防振部材を介して取り付けられるものとしてもよい。これにより、気泡の衝突により生じる振動音を適切に発生させつつ、便座装置本体に振動が伝達されるのを抑えることができる。
【００１１】
本発明の便座装置において、使用者の局部に洗浄水を噴射する洗浄ユニットと、水源からの給水を前記擬音発生ユニットか前記洗浄ユニットのいずれに供給するかを切り替える切替弁と、前記切替弁を制御する制御装置と、を備えるものとしてもよい。こうすれば、擬音を発生させるための水を局部の洗浄水と兼用することができるから、擬音発生ユニット専用の水回路を備えるものに比して、水回路をコンパクトに構成することができる。
【００１２】
本発明の便座装置において、前記音放出部は、開口に膜状の防水通音部材が設けられるものとしてもよい。こうすれば、貯留容器内の水が音放出部を介して外部に飛散するのを防止しつつ、擬音を適切に発生させることができる。
【００１３】
本発明の便座装置において、前記貯留容器は、所定水位を超えた貯留水を排水可能な排水部を有するものとしてもよいし、前記貯留容器内の貯留水を吸い上げて前記噴射部に供給するよう循環させる循環ポンプを備えるものとしてもよい。前者の場合には、貯留容器内の貯留水を所定水位で安定させて、噴射部と貯留水の水面との距離を一定に保つことができる。また、後者の場合には、噴射に必要な水を循環ポンプで吸い上げて循環させることで、貯留容器からの排水を抑えつつ噴射部と貯留水の水面との距離を一定に保つことができる。このように、噴射部と貯留水の水面との距離を一定に保つことで、貯留容器の底部に気泡を狙い通りに衝突させて擬音を安定的に発生させることができる。
【図面の簡単な説明】
【００１４】
【図１】便座装置１０の構成図である。
【図２】擬音発生ユニット３０の構成図である。
【図３】擬音発生制御ルーチンの一例を示すフローチャートである。
【図４】他の実施形態の擬音発生ユニット１３０の断面構成図である。
【発明を実施するための形態】
【００１５】
本発明を実施するための形態について説明する。
【００１６】
図１は便座装置１０の構成図であり、図２は擬音発生ユニット３０の構成図である。便座装置１０は、図１に示すように、便座装置本体２０と、便器（図示略）の上面に便座装置本体２０に対して開閉可能に支持された便座１４および便蓋（図示略）とを備える。
【００１７】
便座装置本体２０は、図１に示すように、水道管などの水源に接続された給水路２１と、給水路２１の上流部に設けられた開閉弁としての給水弁２２と、給水路２１を流れる水の流路を切り替える切替弁２３と、温水ヒータを内蔵し洗浄水を貯留する貯湯式の温水タンク２４や洗浄水を使用者の局部に噴射する洗浄ノズル２５などを有する洗浄ユニット２６と、擬音を発生させる擬音発生ユニット３０と、装置全体をコントロールする制御装置２８とを備える。切替弁２３は、給水路２１を流れる水を、洗浄ユニット２６（温水タンク２４）か擬音発生ユニット３０のいずれに供給するかを切り替えるものである。なお、便座装置本体２０は、この他に、臭気を脱臭する脱臭ファンを有する脱臭ユニットや使用者の局部に温風を吹き付けて乾燥させる乾燥ファンを有する乾燥ユニットを備えるものなどとしてもよい。
【００１８】
擬音発生ユニット３０は、図２に示すように、水を貯留する貯留容器３１と、貯留容器３１内の貯留水に水を噴射する噴射ノズル３３と、貯留容器３１内の音を外部に放出する音放出孔３４と、音放出孔３４への水の飛散を防止する水飛散防止リブ３５と、貯留容器３１内の貯留水を排出する排水路３６と、貯留容器３１内の貯留水の水位を安定させる水位安定化リブ３７と、便座装置本体２０に貯留容器３１を取り付けるための防振ゴム３８とを備える。
【００１９】
貯留容器３１は、内部に水を貯留する蓋３２付きの円筒状容器として構成されている。この貯留容器３１は、蓋３２がフランジ状に張り出して形成されており、蓋３２の外周縁の下面を保持する防振ゴム３８を介して便座装置本体２０の側壁部２０ａに取り付けられる。また、貯留容器３１は、底部３１ａを含む全体がステンレスやアルミニウムなどの金属材料で形成されており、底部３１ａが便座装置本体２０の底部２０ｂから浮いた状態で便座装置本体２０内に取り付けられる。
【００２０】
噴射ノズル３３は、貯留容器３１の蓋３２の略中心部に設けられ、貯留容器３１内に向いた噴射口３３ａを有する。噴射ノズル３３は、切替弁２３を介して水が供給され、供給された水を噴射口３３ａから噴射する。噴射ノズル３３（噴射口３３ａ）から噴射された噴射水が、貯留容器３１内の貯留水（水面）に突入する際に空気を巻き込んで気泡が生じることになる。本実施形態では、その気泡が貯留容器３１の底部３１ａ（底面）に衝突するように、噴射ノズル３３からの噴射速度や噴射水量（噴射口３３ａの口径や数）、噴射口３３ａから貯留水の水面までの距離、水面から底面までの距離（貯留水の水位）などが定められている。このため、噴射ノズル３３から貯留水への水の噴射により生じる気泡の振動を、貯留容器３１の振動源として利用することができる。
【００２１】
音放出孔３４は、貯留容器３１の蓋３２を上下に貫通する貫通孔（開口）であり、蓋３２に同心円状に複数設けられている。この音放出孔３４には、例えば合成樹脂の多孔質膜などを用いて、音（気体）の透過を許容し液体の透過を阻止するよう膜状に形成された防水通音フィルム３４ａが設けられている。このため、音放出孔３４は、貯留容器３１内で発生した音を外部に放出しつつ、貯留容器３１内の水が外部に飛散するのを抑制することができる。
【００２２】
水飛散防止リブ３５は、蓋３２の下面（内面）から下方に立設するよう設けられている。この水飛散防止リブ３５は、音放出孔３４の形成位置よりも外周側となる蓋３２の下面から立設し、下方に行くほど中心側（噴射ノズル３３側）に向かうよう傾斜する形状に設けられている。即ち、音放出孔３４の下方を覆うように水飛散防止リブ３５が設けられている。このため、噴射ノズル３３（噴射口３３ａ）から水が噴射された際に、水面で生じた水しぶきが、音放出孔３４に飛散するのを抑制することができる。
【００２３】
排水路３６は、貯留容器３１の側壁部に設けられた排水入口３６ａから、便器の便鉢内に排水可能に設けられた排水出口（図示略）まで傾斜して設けられた水路である。この排水路３６は、貯留容器３１内の貯留水が所定水位を超えた場合に排水するように、排水入口３６ａの下縁が所定水位となる位置に設けられている。また、水位安定化リブ３７は、排水入口３６ａの手前側で貯留容器３１の底部３１ａから立設する壁状部材であり、その上端が排水入口３６ａの下縁よりも若干高い位置となるよう形成されている。このため、噴射ノズル３３（噴射口３３ａ）からの水の噴射によって水位が変動した水が直ちに排水入口３６ａ内に流れ込むのを抑えることができる。即ち、水位安定化リブ３７は、水の噴射による水面変動の影響を抑えて、貯留水の水位を安定させることができる。
【００２４】
制御装置２８は、図示しないＣＰＵやＲＯＭ，ＲＡＭ，入出力ポートなどを備える。制御装置２８には、図示しない入力ポートを介して、便座１４への使用者の着座を検知する着座センサ１５からの検知信号や操作パネル１６に設けられた各操作スイッチからの操作信号などが入力されている。なお、操作パネル１６には、例えば、洗浄ユニット２６による洗浄動作を開始させる洗浄作動スイッチ１６ａや洗浄動作を停止させる洗浄停止スイッチ１６ｂ、擬音発生ユニット３０による擬音の発生を開始させる擬音発生スイッチ１６ｃ、擬音の発生を停止させる擬音停止スイッチ１６ｄなどの操作スイッチが設けられている。また、制御装置２８からは、給水弁２２への駆動信号や切替弁２３への駆動信号、洗浄ユニット２６（温水タンク２４（温水ヒータ）や洗浄水ノズル２５）への駆動信号などが出力ポートを介して出力されている。
【００２５】
次に、こうして構成された便座装置１０の動作、特に擬音発生に関する動作について説明する。図３は、擬音発生制御ルーチンの一例を示すフローチャートである。このルーチンは、制御装置２８のＲＯＭなどに記憶されている。このルーチンが実行されると、制御装置２８は、まず、着座検知センサ１５からの着座検知信号に基づいて使用者の着座が検知されたか否か（Ｓ１００）、擬音発生スイッチ１６ｃからの操作信号に基づいて使用者により擬音発生操作がされたか否か（Ｓ１１０）、をそれぞれ判定する。制御装置２８は、Ｓ１００で使用者の着座が検知されたと判定したり、Ｓ１１０で使用者により擬音発生操作がされたと判定したりすると、擬音発生ユニット３０側への給水に切り替えるよう切替弁２３を制御することで（Ｓ１２０）、噴射ノズル３３（噴射口３３ａ）から貯留容器３１内の貯留水に向けて水を噴射させる。
【００２６】
ここで、本実施形態では、上述したように、噴射ノズル３３から貯留水に噴射された噴射水が水面に突入する際に生じた気泡が、貯留容器３１の底部３１ａに衝突するものとなっている。底部３１ａに衝突した気泡は、底部３１ａを叩くように振動させて振動音が発生する。即ち、気泡の振動が、貯留容器３１の底部３１ａの振動を引き起こすものとなる。本発明者らは、この振動音として、水が流れる流水音に近い音が生じることを見出した。そこで、本実施形態では、マスキング音として、噴射ノズル３３から貯留水に向けて水を噴射させて流水音に近い擬音を発生させているのである。これにより、例えば使用者が排泄する際の排泄音の他、洗浄ユニット２６による洗浄音、衣服の着脱音などをマスキングすることが可能となる。また、擬音として、人工的な流水音ではなく実際の水を用いて発生させた自然な音に近い流水音を発生させることができるから、使用者に違和感を与えるのを防止することができる。
【００２７】
噴射ノズル３３から水を噴射して擬音（マスキング音）を発生させると、制御装置２８は、着座検知センサ１５からの着座検知信号に基づいて使用者の退座が検知されたか否か（Ｓ１３０）、擬音停止スイッチ１６ｄからの操作信号に基づいて使用者により擬音の停止操作がされたか否か（Ｓ１４０）、をそれぞれ判定する。制御装置２８は、Ｓ１３０で使用者の退座が検知されたと判定したり、Ｓ１４０で使用者により擬音の停止操作がされたと判定したりすると、洗浄ユニット２６（温水タンク２４）側への給水に切り替えるよう切替弁２３を制御し（Ｓ１５０）、噴射ノズル３３（噴射口３３ａ）からの水の噴射を停止させることで擬音の発生を停止させて、擬音発生制御ルーチンを終了する。
【００２８】
以上説明した本実施形態の便座装置１０は、貯留容器３１と、貯留容器３１内の貯留水（水面）に水を噴射する噴射ノズル３３と、貯留容器３１内の音を外部に放出するよう開口する音放出孔３４とを有する擬音発生ユニット３０を備え、擬音発生ユニット３０は、噴射ノズル３３から貯留水への水の噴射により生じる気泡の振動が貯留容器３１（底部３１ａ）の振動源となるように構成される。このため、気泡の振動により貯留容器３１（底部３１ａ）から生じる振動音などを擬音として発生させることができる。このように、実際の水を用いて擬音（マスキング音）を発生させるため、自然な流水音に近い違和感の少ない擬音とすることができる。また、貯留水に水を噴射するという簡易な構成で擬音を発生させることができる。
【００２９】
また、便座装置１０は、貯留容器３１が金属製であり、底部３１ａの硬い金属面（底面）を気泡が叩くことになるから、排泄音などをマスキングするのに十分な音量の擬音を発生させることができる。
【００３０】
また、便座装置１０は、貯留容器３１の底部３１ａが便座装置本体２０の底部２０ｂから浮いた状態で、便座装置本体２０の側壁部２０ａに防振ゴム３８を介して保持されるから、貯留容器３１（底部３１ａ）から振動音（擬音）を適切に発生させつつ、便座装置本体２０に不快な振動が伝達されるのを抑えることができる。
【００３１】
また、便座装置１０は、洗浄ユニット２６（温水タンク２４）か擬音発生ユニット３０のいずれに給水するかを切り替える切替弁２３を備え、擬音を発生させる際に制御装置２８が切替弁２３を切り替える。このため、擬音を発生させるための水を、局部の洗浄水と兼用することができるから、水回路をコンパクトな構成とすることができる。
【００３２】
また、便座装置１０は、貯留容器３１に排水路３６が設けられるから、貯留容器３１内の貯留水を所定水位で安定させて噴射ノズル３３（噴射口３３ａ）から水面までの距離を一定に保つことができる。このため、噴射により生じる気泡を確実に底部３１ａに衝突させて、気泡の振動を貯留容器３１の振動源として確実に用いることができるから、狙い通りの振動音（擬音）を発生させることができる。
【００３３】
また、便座装置１０は、音放出孔３４に防水通音フィルム３４ａが取り付けられるから、貯留容器３１内の水が音放出孔３４を介して外部に飛散するのを防止しつつ、擬音を適切に発生させることができる。さらに、音放出孔３４の下方を覆うように水飛散防止リブ３５が設けられるから、外部への飛散防止効果を高めることができる。
【００３４】
実施形態では、貯留容器３１の全体が金属製としたが、これに限られず、貯留容器３１の少なくとも底部３１ａが金属製であればよい。あるいは、金属製に限られず、貯留容器３１が金属以外の材料で形成されてもよい。
【００３５】
実施形態では、貯留容器３１が防振ゴム３８を介して便座装置本体２０内に取り付けられるものとしたが、これに限られず、貯留容器３１が防振ゴム以外の防振部材を介して便座装置本体２０内に取り付けられるものとしてもよい。あるいは、防振部材を用いないものとしてもよいが、不快な振動の伝達を防ぐために防振部材を用いるものが好ましい。
【００３６】
実施形態では、音放出孔３４に防水通音フィルム３４ａを設け、音放出孔３４の下方を覆う水飛散防止リブ３５を設けるものとしたが、これに限られず、音放出孔３４に防水通音フィルム３４ａを設けなくてもよいし、水飛散防止リブ３５を設けなくてもよい。ただし、外部への水の飛散を防止するために、防水通音フィルム３４ａや水飛散防止リブ３５を設けるものが好ましい。
【００３７】
実施形態では、水位安定化リブ３７を設けるものとしたが、これに限られず、水位安定化リブ３７を設けなくてもよい。ただし、水面変動に伴う排水を抑えるために水位安定化リブ３７を設けるものが好ましい。
【００３８】
実施形態では、Ｓ１００で使用者の着座が検知されるか、Ｓ１１０で使用者により擬音発生操作がされることに基づいて、擬音を発生させたが、これに限られず、Ｓ１００またはＳ１１０の一方の判定処理を省略してもよい。また、Ｓ１３０で使用者の退座が検知されるか、Ｓ１４０で使用者により擬音の停止操作がされることに基づいて、擬音の発生を停止させたが、これに限られず、Ｓ１３０またはＳ１４０の一方の判定処理を省略してもよい。
【００３９】
実施形態では、排水路３６からの排水により貯留容器３１の貯留水を所定水位で安定させるものとしたが、これに限られず、排水路３６を設けないものとしてもよい。図４は、他の実施形態の擬音発生ユニット１３０の構成図である。図示するように、擬音発生ユニット１３０は、分岐弁２３から貯留容器１３１内に水を供給する供給路１４２と、供給路１４２に設けられ開閉弁としての給水弁１４３と、貯留容器１３１内の貯留水を吸い上げる循環ポンプ１４４と、循環ポンプ１４４により吸い上げられた水（循環水）を噴射ノズル３３か排水路のいずれに流すかを切り替える切替弁１４５とを備える。他の実施形態の貯留容器１３１は、側壁部に排水路（排水入口）が設けられていない点で、実施形態の貯留容器３１と異なる。なお、給水弁１４３と循環ポンプ１４４と切替弁１４５は、制御装置２８により駆動制御される。擬音発生ユニット１３０では、必要な水位となるまで給水弁１４３を開弁して貯留容器１３１内に水を貯留しておく。そして、擬音発生時は、切替弁１４５を噴射ノズル３３側に切り替えた状態として、循環ポンプ１４４で水を吸い上げながら噴射ノズル３３から水を噴射させる。このように、貯留容器１３１内の貯留水を吸い上げて噴射ノズル３３に供給可能に循環させる循環ポンプ１４４を備えるから、排水量を抑えつつ噴射ノズル３３（噴射口３３ａ）と貯留水の水面との距離を一定に保つことができる。なお、この実施形態では、蒸発などにより貯留容器１３１から減少する水量を予め実験などにより求めておき、給水弁１４３を適宜開弁して水を補給するものとすればよい。また、水の腐敗などを防止するため、擬音を発生する必要のない場合に切替弁１４５を排水路側に切り替えて循環ポンプ１４４を駆動させることで貯留水を排水してから、新たに水を供給することにより、貯留水を入れ替えるものなどとすればよい。このような貯留水の入れ替えは、数日（２〜３日など）に１回程度行うものとすればよい。
【００４０】
実施形態では、切替弁２３により洗浄ユニット２６か擬音発生ユニット３０のいずれに給水するかを切り替えるもの、即ち、擬音発生ユニット３０の水回路を洗浄ユニット２６と兼用するものとしたが、これに限られるものではない。例えば、擬音発生ユニット３０の専用の水回路を設けてもよい。また、専用の水回路を設ける場合には、洗浄ユニット２６への給水と擬音発生ユニット３０への給水とを同時に行うことができる。このため、例えば、洗浄ユニット２６が貯湯式の温水タンク２４を備えるものに限られず、瞬間的に水を加熱して洗浄ノズル２５から噴射する、いわゆる瞬間給湯が可能な加熱ヒータを有する熱交換器を備えるものであってもよい。なお、図４の他の実施形態において、擬音発生ユニット３０への給水を専用の水回路で行うものとしてもよい。
【００４１】
実施形態の主要な要素と課題を解決するための手段の欄に記載した発明の主要な要素との対応関係について説明する。実施形態では、貯留容器３１が「貯留容器」に相当し、噴射ノズル３３が「噴射部」に相当し、音放出孔３４が「音放出部」に相当し、擬音発生ユニット３０が「擬音発生ユニット」に相当する。また、防振ゴム３８が「防振部材」に相当する。また、洗浄ユニット２６が「洗浄ユニット」に相当し、切替弁２３が「切替弁」に相当し、制御装置２８が「制御装置」に相当する。また、放水通音フィルム３４ａが「防水通音部材」に相当する。また、排水路３６が「排水部」に相当する。また、循環ポンプ１４４が「循環ポンプ」に相当する。
【００４２】
以上、本発明を実施するための形態について実施形態を用いて説明したが、本発明はこうした実施形態に何など限定されるものではなく、本発明の要旨を逸脱しない範囲内において、種々なる形態で実施し得ることは勿論である。
【産業上の利用可能性】
【００４３】
本発明は、便座装置の製造産業などに利用可能である。
【符号の説明】
【００４４】
１０  便座装置、１４  便座、１５  着座検知センサ、１６  操作パネル、１６ａ  洗浄作動スイッチ、１６ｂ  洗浄停止スイッチ、１６ｃ  擬音発生スイッチ、１６ｄ  擬音停止スイッチ、２０  便座装置本体、２０ａ  側壁部、２０ｂ  底部、２１  給水路、２２  給水弁、２３  切替弁、２４  温水タンク、２５  洗浄ノズル、２６  洗浄ユニット、２８  制御装置、３０，１３０  擬音発生ユニット、３１，１３１  貯留容器、３１ａ  底部、３２  蓋、３３  噴射ノズル、３３ａ  噴射口、３４  音放出孔、３４ａ  防水通音フィルム、３５  水飛散防止リブ、３６  排水路、３６ａ  排水入口、３７  水位安定化リブ、３８  防振ゴム、１４２  供給路、１４３  給水弁、１４４  循環ポンプ、１４５  切替弁。
【図１】
2018204196.tif 000003
【図２】
2018204196.tif 000004
【図３】
2018204196.tif 000005
【図４】
2018204196.tif 000006